(57)【要約】  挿入装置の先端部材は、被検体に挿入される挿入部に配置される先端部材であって、基台部と、前記基台部の表面に凹設された凹部と、前記基台部の表面において、前記凹部の開口の周囲を囲うように形成された開口形成面と、前記凹部の前記開口よりも大きく前記開口形成面に当接する当接面を有し、前記当接面が前記開口形成面に当接することによって前記凹部の前記開口を閉塞する板状の蓋部材と、を備え、前記蓋部材の前記当接面に隣接する側面の少なくとも一部を、前記基台部の外面に露呈させる。
2019150621.tif 000002
【特許請求の範囲】
【請求項１】
被検体に挿入される挿入部に配置される先端部材であって、
基台部と、
前記基台部の表面に凹設された凹部と、
前記基台部の表面において、前記凹部の開口の周囲を囲うように形成された開口形成面と、
前記凹部の前記開口よりも大きく前記開口形成面に当接する当接面を有し、前記当接面が前記開口形成面に当接することによって前記凹部の前記開口を閉塞する板状の蓋部材と、
を備え、
前記蓋部材の前記当接面に隣接する側面の少なくとも一部を、前記基台部の外面に露呈させたことを特徴とする挿入装置の先端部材。
【請求項２】
前記蓋部材は、前記当接面と前記側面とが交差する角の一部に、当該角を切り欠いた開口部を有することを特徴とする請求項１に記載の挿入装置の先端部材。
【請求項３】
前記開口部は、前記開口形成面と鋭角に交差する角度で前記角を切り欠いた形状であることを特徴とする請求項２に記載の挿入装置の先端部材。
【請求項４】
前記蓋部材の前記側面は、前記蓋部材を前記開口形成面に接着するための固定用樹脂により覆われていることを特徴とする請求項１に記載の挿入装置の先端部材。
【請求項５】
前記固定用樹脂の外面は、当該先端部材の外面と同一面に形成されていることを特徴とする請求項４に記載の挿入装置の先端部材。
【請求項６】
前記基台部は、前記開口形成面に設けられた、前記蓋部材の前記当接面と前記側面とが交差する角の一部を前記開口形成面から離間させる溝を有することを特徴とする請求項１に記載の挿入装置の先端部材。
【発明の詳細な説明】
【技術分野】
【０００１】
本発明は、挿入装置の挿入部に設けられ、凹部と当該凹部を覆う蓋部材とを備える挿入装置の先端部材に関する。
【背景技術】
【０００２】
内視鏡や医療用処置具等の被検体内部に挿入される挿入部を有する挿入装置には、当該挿入部に可動部材を備える型式のものがある。例えば日本国特開２００７−１３６０４４号公報には、挿入部に可動部材である起立レバーおよび起立台を備える内視鏡が開示されている。【０００３】
日本国特開２００７−１３６０４４号公報に開示の内視鏡では、起立レバーは、挿入部の先端部本体に形成された凹形状の空間であるレバー収容部内に配置されている。そして、日本国特開２００７−１３６０４４号公報に開示の内視鏡では、レバー収容部は、薄板状のカバーにより塞がれている。カバーは、先端部本体に接着剤により固定されている。レバー収容部は、内視鏡の内部空間と連通した空間であることから、レバー収容部を塞ぐカバーは、液体を通さないよう強固に固定されている。【０００４】
日本国特開２００７−１３６０４４号公報に開示の内視鏡において、起立レバー等の修理を行うためには、先端部本体に固定されたカバーを取り外す必要がある。一方で、前述のように、カバーを先端部本体に固定する強度も高くなければならない。【０００５】
本発明は、前述した問題を解決するものであり、凹部を塞ぐ蓋部材の固定強度を維持しつつ、前記蓋部材の容易な取り外しを可能とする挿入装置の先端部材を提供することを目的とする。
【発明の開示】
【課題を解決するための手段】
【０００６】
本発明の一態様による挿入装置の先端部材は、被検体に挿入される挿入部に配置される先端部材であって、基台部と、前記基台部の表面に凹設された凹部と、前記基台部の表面において、前記凹部の開口の周囲を囲うように形成された開口形成面と、前記凹部の前記開口よりも大きく前記開口形成面に当接する当接面を有し、前記当接面が前記開口形成面に当接することによって前記凹部の前記開口を閉塞する板状の蓋部材と、を備え、前記蓋部材の前記当接面に隣接する側面の少なくとも一部を、前記基台部の外面に露呈させる。
【図面の簡単な説明】
【０００７】
【図１】挿入装置の概略的な構成を示す図である。
【図２】挿入部の先端部の斜視図である。
【図３】先端カバーと先端部材とを分離した状態で示す斜視図である。
【図４】先端部材の上面を示す図である。
【図５】図４のV-V断面図である。
【図６】図４のVI-VI断面図である。
【図７】先端部材の分解斜視図である。
【図８】蓋部材を取り外した状態の先端部材の右側面を示す図である。
【図９】図４のIX-IX断面図である。
【図１０】図９の円Ｃで囲まれた部分の拡大図である。
【発明を実施するための最良の形態】
【０００８】
以下に、本発明の好ましい形態について図面を参照して説明する。なお、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、および各構成要素の相対的な位置関係のみに限定されるものではない。【０００９】
図１は、挿入装置１００の概略的な構成を示す図である。本実施形態の挿入装置１００は、挿入装置本体１および先端カバー６０を備える。本実施形態では一例として、挿入装置１００は、被検体である人体内に挿入される挿入部２を有する内視鏡であり、より具体的には側視型の十二指腸用内視鏡である。【００１０】
挿入装置本体１は、被検体内に挿入される挿入部２と、挿入部２の基端側に設けられた操作部３と、操作部３から延出するユニバーサルコード４と、を備えて構成されている。【００１１】
操作部３には、湾曲操作装置１１と、送気送水釦１２と、吸引釦１３と、起上台操作レバー１４と、操作スイッチ１５と、が設けられている。操作スイッチ１５は、挿入部２に設けられた撮像装置４２（図１には不図示）を操作するための電子スイッチである。【００１２】
操作部３には、図示しない処置具を体内に導入するための処置具挿入口１６が設けられている。処置具挿入口１６にはチャンネルチューブ１７の基端側が接続されている。チャンネルチューブ１７の先端側は、挿入部２の先端部５において開口している。【００１３】
挿入部２は、先端に配設される先端部５、先端部５の基端側に配設される湾曲自在な湾曲部６、および湾曲部６の基端側と操作部３とを接続する可撓性を有する可撓管部７が連設されて構成されている。先端部５には、先端カバー６０が装着される。先端部５および先端カバー６０の構成の詳細は後述する。【００１４】
湾曲部６は、操作部３に設けられた湾曲操作装置１１の上下湾曲ノブ１１ａの回動に応じて上方向又は下方向に湾曲し、左右湾曲ノブ１１ｂの回動に応じて左方向又は右方向に湾曲する。【００１５】
挿入部２内には、起上台操作ワイヤ１８（図１には不図示）が挿通されている。起上台操作ワイヤ１８は、起上台操作レバー１４の揺動に応じて、長手方向に進退移動する。すなわち、起上台操作レバー１４は、挿入部２内に挿通された起上台操作ワイヤ１８を押し引きする装置を、使用者が操作するための操作部材である。起上台操作ワイヤ１８の先端は、先端部５に設けられた後述する可動部材５１（図１には不図示）に接続されている。【００１６】
図２は、先端部５の斜視図である。図２に示すように、先端部５には、先端カバー６０が装着される。先端カバー６０は、先端部５の所定の外表面を覆う鞘状の部材であり、先端部５に着脱可能である。図３は、先端カバー６０と先端部５とを分離した状態で示す斜視図である。図４は、先端カバー６０が装着されていない状態の先端部５の上面を示す図である。また、図５は、図４のV-V断面図である。図６は、図４のVI-VI断面図である。図７は、先端部材２０の分解斜視図である。図８は、蓋部材２３を取り外した状態の先端部材２０の右側面を示す図である。【００１７】
先端カバー６０は、本実施形態では一例として、ポリエチレンまたはポリプロピレン等の樹脂のうち、ゴム等に比べて弾性が低く、塑性変形や破断しやすい樹脂により形成される。本実施形態の先端カバー６０は、先端部５に装着された後に当該先端部５から取り外される際に不可逆な変形や破断が生じるようになっており、再使用できないようになっている。図３においては、先端部５に一度も装着されたことのない状態（未使用状態）の先端カバー６０を示している。【００１８】
先端部５の構成について説明する。なお、以下の説明において、細長な挿入部２の長手方向に沿う軸を長手軸２ａと称する。また、長手軸２ａに沿って挿入部２の先端側に向かう方向を先端方向Ａと称し、先端方向Ａの反対の方向を基端方向Ｂと称する。また、長手軸２ａに直交する平面上において互いに直交する２つの直線軸をＸ軸およびＹ軸と定義する。そして、Ｘ軸に沿って一方の側に向かう方向を右方向Ｒと称し、右方向Ｒの反対方向を左方向Ｌと称する。また、Ｙ軸に沿って一方の側に向かう方向を上方向Ｕと称し、上方向Ｕの反対方向を下方向Ｄと称する。Ｘ軸およびＹ軸は、湾曲部６の湾曲方向と略平行である。本実施形態では一例として、長手軸２ａに沿って基端側から先端側に向かって見た場合であって、Ｘ軸を水平とした場合において、右側が右方向Ｒであり上側が上方向Ｕであるとする。【００１９】
図３に示すように、先端部５は、先端部材２０と、絶縁部２０ｊと、を備える。先端部材２０は、湾曲部６の先端に固定される基部２０ａと、基部２０ａから先端方向Ａに向かって突出する一対の腕部である第１腕部２０ｂおよび第２腕部２０ｃと、第１腕部２０ｂおよび第２腕部２０ｃの間に形成された空間である起上台収容空間２０ｄと、を有している。基部２０ａの外形は略柱状である。【００２０】
絶縁部２０ｊは、基部２０ａの外周を覆う環状の部材である。絶縁部２０ｊは電気絶縁性を有する樹脂またはセラミック製である。【００２１】
先端部材２０の第１腕部２０ｂおよび第２腕部２０ｃは、間に形成される空間である起上台収容空間２０ｄが、上方向Ｕ、下方向Ｄおよび先端方向Ａの三方に向かって開放されるように配置されている。すなわち、第１腕部２０ｂおよび第２腕部２０ｃは、起上台収容空間２０ｄを間に挟んでＸ軸に沿う方向に配列されている。本実施形態では一例として、第１腕部２０ｂが起上台収容空間２０ｄの左方向Ｌ側に配置されており、第２腕部２０ｃが起上台収容空間２０ｄの右方向Ｒ側に配置されている。【００２２】
第１腕部２０ｂの外周面のうちの上方向Ｕに面する上面には、照明レンズ４１、撮像装置４２および洗浄ノズル４３が配設されている。照明レンズ４１は撮像装置４２の被写体に向かって照明光を出射するためのものである。【００２３】
図５に示すように、第１腕部２０ｂの内部には、撮像装置収容室２０ｅが形成されている。撮像装置収容室２０ｅ内には、光ファイバケーブル４１ａの先端部および撮像装置４２が配設される。光ファイバケーブル４１ａは、挿入部２内に挿通されており、発光装置から出射された照明光を照明レンズ４１まで導く。【００２４】
撮像装置４２の視野は、概ね上方向Ｕを中心としている。すなわち、撮像装置４２は、挿入部２の側方を視野に入れている。洗浄ノズル４３は、照明レンズ４１および撮像装置４２に向かって流体を噴出する部位である。【００２５】
第２腕部２０ｃ内には、可動部材５１が配設される収容室２２が設けられている。可動部材５１は、起上台操作ワイヤ１８の動きを起上台５０に伝える部材である。【００２６】
また図５に示すように、第２腕部２０ｃには、可動部材５１に固定された軸部５１ａを回動可能に支持する軸受２８が設けられている。軸部５１ａの回動軸はＸ軸に略平行である。軸部５１ａは、収容室２２から起上台収容空間２０ｄまで貫通している。【００２７】
図８に示すように、可動部材５１は、収容室２２内において、軸部５１ａに直交する方向に延出するレバー５１ｂを備える。収容室２２は、貫通孔２１ｄを介して湾曲部６内と連通している。貫通孔２１ｄは、収容室２２内から基端方向Ｂに向かって基部２０ａを貫通している。貫通孔２１ｄ内には、起上台操作ワイヤ１８が挿通されている。レバー５１ｂには、軸部５１ａから所定の距離だけ離れた位置において、起上台操作ワイヤ１８の先端が接続されている。【００２８】
前述のように、起上台操作ワイヤ１８は、起上台操作レバー１４の揺動に応じて、長手方向に進退移動する。可動部材５１は、起上台操作ワイヤ１８の進退移動に伴い、回動軸周りに回動する。【００２９】
軸部５１ａの起上台収容空間２０ｄに突出した部分には、起上台５０が固定されている。図６に示すように、起上台５０は、可動部材５１の回動に伴い、起上台収容空間２０ｄ内において回動する。【００３０】
起上台５０は、軸部５１ａから一方向に延出する舌状の部材である。起上台収容空間２０ｄ内において、起上台５０の基端方向Ｂ側には、処置具チャンネルチューブ１７が開口している。起上台５０の揺動に伴い、処置具チャンネルチューブ１７から突出する処置具の角度が変化する。【００３１】
図３に示すように、先端カバー６０は、先端方向Ａ側が閉じており基端方向Ｂ側が開口している鞘状の部材である。先端カバー６０の基端方向Ｂ側に設けられた開口を、挿入口６０ｄと称する。先端カバー６０を先端部５に装着する際には、挿入口６０ｄを経由して先端カバー６０内に先端部５が挿入される。【００３２】
先端カバー６０には、先端部５に装着された状態において、起上台収容空間２０ｄを上方向Ｕのみに向かって露呈させる開口部６０ａを有する。また、先端カバー６０が先端部材２０に装着されている状態において、照明レンズ４１、撮像装置４２および洗浄ノズル４３も、開口部６０ａを介して上方向Ｕに向かって露出する。【００３３】
先端カバー６０の外表面において、開口部６０ａは、挿入口６０ｄと接続していない。よって、先端カバー６０の基端６０ｂには、長手軸２ａ周りに全周が環状に繋がった環状部６０ｅが形成されている。先端カバー６０が先端部材２０に装着されている状態では、環状部６０ｅが、絶縁部２０ｊの外周に嵌合する。【００３４】
次に、先端部材２０の第２腕部２０ｃに設けられた収容室２２の構成について説明する。図９は、図４のIX-IX断面図である。図１０は、図９において円Ｃにより囲んだ箇所の拡大図である。【００３５】
図４、図５および図７に示すように、第２腕部２０ｃは、先端部材２０と一体である基台部２１と、基台部２１に固定用樹脂２６により接着固定されている蓋部材２３と、によって構成されている。本実施形態では、蓋部材２３は、基台部２１の右側面（図４中の右方向Ｒ側）に固定されている。そして収容室２２は、基台部２１に形成された凹部２１ａの内面と、凹部２１ａを覆う蓋部材２３の内面とによって囲まれた空間である。【００３６】
より詳細に、基台部２１は、凹部２１ａ、開口形成面２１ｂおよび壁面部２１ｃを備える。凹部２１ａは、基台部２１の表面のうちの、開口形成面２１ｂ内において開口している。すなわち、開口形成面２１ｂは、凹部２１ａの開口の周囲を囲うように形成された面である。【００３７】
開口形成面２１ｂの形状は特に限定されるものではなく、例えば単一の平面により構成されていてもよいし、複数の平面により構成されていてもよいし、曲面により構成されていてもよい。【００３８】
本実施形態では一例として、図５および図９に示すように、開口形成面２１ｂは、長手軸２ａに略平行であって互いに交差する角度で配置された一対の平面２１ｂ１および２１ｂ２を含む。一対の平面２１ｂ１および２１ｂ２は、両者の交線が外側に向かって凸となる稜線となるように、柱状である基台部２１の表面において異なる方向に面している。【００３９】
この一対の平面２１ｂ１および２１ｂ２を含む開口形成面２１ｂは、長手軸２ａに直交する断面において山状に屈曲した形状となる。【００４０】
壁面部２１ｃは、開口形成面２１ｂから基台部２１の外側に向かって立設されている。壁面部２１ｃについては後述する。【００４１】
蓋部材２３は、板状の部材であり、当接面２３ｂを備える。当接面２３ｂは、開口形成面２１ｂに当接する面である。また、当接面２３ｂは、凹部２１ａの開口よりも大きく、凹部２１ａの開口の周囲全体にわたって開口形成面２１ｂと当接する。したがって、当接面２３ｂが開口形成面２１ｂに当接した状態では、凹部２１ａの開口は、蓋部材２３によって閉塞される。【００４２】
当接面２３ｂは、凹部２１ａを閉塞するため、開口形成面２１ｂに密着する形状である。具体的に本実施形態では、開口形成面２１ｂが長手軸２ａに平行な断面において山状に屈曲した形状であることから、当接面２３ｂは開口形成面２１ｂの屈曲に合わせて谷状に屈曲した形状を有している。すなわち、当接面２３ｂは、開口形成面２１ｂの一対の平面２１ｂ１および２１ｂ２に平行となる一対の平面２３ｂ１および２３ｂ２を含む。【００４３】
このように、基台部２１側の開口形成面２１ｂが山形状であり、蓋部材２３側の当接面２３ｂが谷形状であることから、開口形成面２１ｂに当接面２３ｂを当接させることにより、蓋部材２３の基台部２１に対する長手軸２ａ周りの周方向の位置決めがなされる。本実施形態では、蓋部材２３の基台部２１に対する長手軸２ａ周りの周方向の位置決めとは、概ねＹ軸に沿った上方向Ｕおよび下方向Ｄの位置決めとなる。【００４４】
基台部２１に設けられた壁面部２１ｃは、開口形成面２１ｂから基台部２１の外側に向かって立設されており、当接面２３ｂが開口形成面２１ｂに当接した状態の蓋部材２３の側面２３ｄの少なくとも一部に対向する面を有する。【００４５】
本実施形態の壁面部２１ｃは、蓋部材２３の周囲を、側面２３ｄから所定の距離だけ離間して囲うように配設されている。すなわち本実施形態では、壁面部２１ｃは、基台部２１の表面に形成され、蓋部材２３が内側に嵌り込む形状の凹部の側壁面であり、開口形成面２１ｂは当該凹部の底面にあたる。【００４６】
壁面部２１ｃの端面は、先端部材２０の外面となる。蓋部材２３と壁面部２１ｃとの間に、硬化前の固定用樹脂２６を流し込み、その後に固定用樹脂２６を硬化させることにより、基台部２１に蓋部材２３が接着固定される。図４に示すように、蓋部材２３と固定用樹脂２６の外面は、先端部材２０の外面と同一面となるよう形成されている。【００４７】
本実施形態の挿入装置１００の先端部材２０では、蓋部材２３の周囲を壁面部２１ｃで囲み、固定用樹脂２６を蓋部材２３の周囲全体を囲むように配置するため、蓋部材２３の固定強度を向上させることができる。【００４８】
そして、本実施形態では、図７、図９および図１０に示すように、壁面部２１ｃの一部に、当該壁面部２１ｃを開口形成面２１ｂまで切り欠いた切り欠き２１ｅが形成されている。切り欠き２１ｅは、蓋部材２３の当接面２３ｂに隣接する側面２３ｄの一部を、基台部２１の外面に露呈する。なお、図４や図５に示されたように先端部材２０が組み立てられている状態では、切り欠き２１ｅは絶縁部２０ｊにより覆われている。【００４９】
蓋部材２３の側面２３ｄは、基台部２１に設けられた壁面部２１ｃによって囲まれているが、切り欠き２１ｅが形成された箇所においては、当該箇所に配置されている固定用樹脂２６を取り除けば、先端部材２０の外側から側面２３ｄを見ることができるようになる。【００５０】
より詳細には、壁面部２１ｃに設けられた切り欠き２１ｅにおいては、蓋部材２３と基台部２１との境界が、基台部２１の外面に露呈する。蓋部材２３と基台部２１との境界とは、開口形成面２１ｂと当接面２３ｂとが接する箇所である。【００５１】
このように、本実施形態の挿入装置では、切り欠き２１ｅが形成された箇所において、当該箇所に配置されている固定用樹脂２６を取り除いた後に、開口形成面２１ｂと当接面２３ｂとが接する箇所を、先端部材２０の外側に露出させることができる。【００５２】
したがって、本実施形態の挿入装置１００の先端部材２０では、切り欠き２１ｅが設けられた箇所に配置されている固定用樹脂２６を取り除けば、開口形成面２１ｂと当接面２３ｂとが接する箇所に薄板状またはくさび状の工具を差し込むことができる。また、前述のように、本実施形態の先端部材２０では、固定用樹脂２６を蓋部材２３の周囲全体を囲むように配置することにより、蓋部材２３の固定強度を向上させることができる。よって、本実施形態の挿入装置１００の先端部材２０では、凹部２１ａを塞ぐ蓋部材２３の固定強度を維持しつつ、蓋部材２３の容易な取り外しが可能である。【００５３】
また、本実施形態では、図７、図９および図１０に示すように、壁面部２１ｃに切り欠き２１ｅが設けられた箇所の近傍において、蓋部材２３の当接面２３ｂと側面２３ｄとが交差する角の一部に、当該角を切り欠いた開口部２３ｅが形成されている。【００５４】
開口部２３ｅは、開口形成面２１ｂと鋭角に交差する角度で蓋部材２３の角を切り欠いた、いわゆる面取り形状である。開口部２３ｅは、蓋部材２３と基台部２１との境界に沿って凹部２１ａに向かって入り込むくさび状の空間を形成する。【００５５】
このような本実施形態では、壁面部２１ｃに切り欠き２１ｅが形成された箇所において、当該箇所に配置されている固定用樹脂２６を取り除けば、蓋部材２３の開口部２３ｅが形成された箇所が基台部２１の外面に露呈する。そして、本実施形態の先端部材２０では、開口部２３ｅ内に薄板状またはくさび状の工具を差し込むことによって、蓋部材２３を開口形成面２１ｂから剥離させる方向の力を蓋部材２３に容易に加えることができ、蓋部材２３の容易な取り外しが可能である。【００５６】
なお、開口部２３ｅは、基台部２１の開口形成面２１ｂの一部を彫り込むことにより、蓋部材２３の当接面２３ｂと側面２３ｄとが交差する角の一部を開口形成面２１ｂから離間させる溝であってもよい。【００５７】
本発明は、前述した実施形態に限られるものではなく、請求の範囲および明細書全体から読み取れる発明の要旨或いは思想に反しない範囲で適宜変更可能であり、そのような変更を伴う挿入装置の先端部材もまた本発明の技術的範囲に含まれるものである。【００５８】
本出願は、２０１８年１月３１日に日本国に出願された特願２０１８−０１５０５６号を優先権主張の基礎として出願するものであり、上記の開示内容は、本願明細書、請求の範囲、図面に引用されたものとする。
【図１】
2019150621.tif 000003
【図２】
2019150621.tif 000004
【図３】
2019150621.tif 000005
【図４】
2019150621.tif 000006
【図５】
2019150621.tif 000007
【図６】
2019150621.tif 000008
【図７】
2019150621.tif 000009
【図８】
2019150621.tif 000010
【図９】
2019150621.tif 000011
【図１０】
2019150621.tif 000012
【手続補正書】
【提出日】令和2年6月9日(2020.6.9)
【手続補正２】
【補正対象書類名】明細書
【補正対象項目名】０００１
【補正方法】変更
【補正の内容】
【０００１】
本発明は、挿入部に設けられ、凹部と当該凹部を覆う蓋部材とを備える挿入装置、挿入装置の先端部材および蓋部材に関する。
【手続補正３】
【補正対象書類名】明細書
【補正対象項目名】０００５
【補正方法】変更
【補正の内容】
【０００５】
本発明は、前述した問題を解決するものであり、凹部を塞ぐ蓋部材の固定強度を維持し
つつ、前記蓋部材の容易な取り外しを可能とする挿入装置、挿入装置の先端部材および蓋部材を提供することを目的とする。
【手続補正４】
【補正対象書類名】明細書
【補正対象項目名】０００６
【補正方法】変更
【補正の内容】
【０００６】
本発明の一態様による挿入装置は、被検体に挿入される挿入部と、前記挿入部の先端に配置される先端部材と、前記先端部材を構成する基台部と、前記基台部の表面に設けられた凹部と、前記基台部の表面において、前記凹部の開口の周囲を囲うように形成された開口形成面と、前記凹部の前記開口よりも大きく前記開口形成面に当接する当接面を有し、前記当接面が前記開口形成面に当接することによって前記凹部の前記開口を閉塞する板状の蓋部材と、を備えており、前記蓋部材は、前記当接面に隣接する側面の少なくとも一部を前記基台部の外面に露呈させるとともに、前記当接面と外部に露呈される前記側面とが交差する角の一部に、当該角を切り欠いた開口部を有することを特徴とする挿入装置。
本発明の一態様による被挿入装置の先端部材は、検体に挿入される挿入部の先端に配置される、挿入装置の先端部材であって、基台部と、前記基台部の表面に設けられた凹部と、前記基台部の表面において、前記凹部の開口の周囲を囲うように形成された開口形成面と、前記凹部の前記開口よりも大きく前記開口形成面に当接する当接面を有し、前記当接面が前記開口形成面に当接することによって前記凹部の前記開口を閉塞する板状の蓋部材と、を備え、前記蓋部材は、前記当接面に隣接する側面の少なくとも一部を前記基台部の外面に露呈させるとともに、前記当接面と外部に露呈される前記側面とが交差する角の一部に、当該角を切り欠いた開口部を有する。
本発明の一態様による蓋部材は、基台部と、この基台部の表面に設けられた凹部と、前記基台部の表面において前記凹部の開口の周囲を囲うように形成された開口形成面とを備えた、被検体に挿入される挿入部に配置される先端部材の、前記開口を閉塞する板状の蓋部材であって、前記蓋部材は、前記当接面に隣接する側面の少なくとも一部を前記基台部の外面に露呈させるとともに、前記当接面と外部に露呈される前記側面とが交差する角の一部に、当該角を切り欠いた開口部を有する。
【手続補正５】
【補正対象書類名】特許請求の範囲
【補正対象項目名】全文
【補正方法】変更
【補正の内容】
【特許請求の範囲】
【請求項１】
被検体に挿入される挿入部と、
前記挿入部の先端に配置される先端部材と、
前記先端部材を構成する基台部と、
前記基台部の表面に設けられた凹部と、
前記基台部の表面において、前記凹部の開口の周囲を囲うように形成された開口形成面と、
前記凹部の前記開口よりも大きく前記開口形成面に当接する当接面を有し、前記当接面が前記開口形成面に当接することによって前記凹部の前記開口を閉塞する板状の蓋部材と、
を備えており、
前記蓋部材は、前記当接面に隣接する側面の少なくとも一部を前記基台部の外面に露呈させるとともに、前記当接面と外部に露呈される前記側面とが交差する角の一部に、当該角を切り欠いた開口部を有することを特徴とする挿入装置。
【請求項２】
前記挿入部は被検体の管腔内に挿入されることを特徴とする、請求項１に記載の挿入装置。
【請求項３】
前記開口部は、前記開口形成面と鋭角に交差する角度で前記角を切り欠いて形成されることを特徴とする、請求項１に記載の挿入装置。
【請求項４】
前記開口部は、前記角の一部を面取りして形成されることを特徴とする、請求項１に記載の挿入装置。
【請求項５】
前記蓋部材の前記側面は、前記蓋部材を前記開口形成面に接着するための固定用樹脂により覆われていることを特徴とする、請求項１に記載の挿入装置。
【請求項６】
前記固定用樹脂の外面は、当該先端部材の外面と同一面に形成されていることを特徴とする、請求項５に記載の挿入装置。
【請求項７】
前記基台部は、前記開口形成面に設けられた、前記蓋部材の前記当接面と前記側面とが交差する角の一部を前記開口形成面から離間させる溝を有することを特徴とする、請求項１に記載の挿入装置。
【請求項８】
被検体に挿入される挿入部の先端に配置される、挿入装置の先端部材であって、
基台部と、
前記基台部の表面に設けられた凹部と、
前記基台部の表面において、前記凹部の開口の周囲を囲うように形成された開口形成面と、
前記凹部の前記開口よりも大きく前記開口形成面に当接する当接面を有し、前記当接面が前記開口形成面に当接することによって前記凹部の前記開口を閉塞する板状の蓋部材と、
を備え、
前記蓋部材は、前記当接面に隣接する側面の少なくとも一部を前記基台部の外面に露呈させるとともに、前記当接面と外部に露呈される前記側面とが交差する角の一部に、当該角を切り欠いた開口部を有することを特徴とする挿入装置の先端部材。
【請求項９】
前記開口部は、前記開口形成面と鋭角に交差する角度で前記角を切り欠いて形成されることを特徴とする、請求項８に記載の挿入装置の先端部材。
【請求項１０】
前記開口部は、前記角の一部を面取りして形成されることを特徴とする、請求項８に記載の挿入装置の先端部材。
【請求項１１】
前記蓋部材の前記側面は、前記蓋部材を前記開口形成面に接着するための固定用樹脂により覆われていることを特徴とする、請求項８に記載の挿入装置の先端部材。
【請求項１２】
前記固定用樹脂の外面は、当該先端部材の外面と同一面に形成されていることを特徴とする、請求項１１に記載の挿入装置の先端部材。
【請求項１３】
基台部と、この基台部の表面に設けられた凹部と、前記基台部の表面において前記凹部の開口の周囲を囲うように形成された開口形成面とを備えた、被検体に挿入される挿入部に配置される先端部材の、前記開口を閉塞する板状の蓋部材であって、
前記蓋部材は、
前記開口形成面に当接する当接面に隣接する側面の少なくとも一部を前記基台部の外面に露呈させるとともに、
前記当接面と外部に露呈される前記側面とが交差する角の一部に、当該角を切り欠いた開口部を有する、
ことを特徴とする蓋部材。
【請求項１４】
前記開口部は、前記開口形成面と鋭角に交差する角度で前記角を切り欠いて形成されることを特徴とする、請求項１３に記載の蓋部材。
【請求項１５】
前記開口部は、前記角の一部を面取りして形成されることを特徴とする、請求項１３に記載の蓋部材。
【国際調査報告】
2019150621.tif 000013
2019150621.tif 000014
2019150621.tif 000015
2019150621.tif 000016